(57)【要約】【課題】  着火、燃焼状態を遠くからでも一目で確認できる照明ユニットを機器正面に取り付けた温風暖房装置を提供する。【解決手段】  バーナー１と、前記バーナー１からの燃焼ガスと外部より取り込んだ空気を混合する燃焼室２と、温風を送出する対流用ファン４と、温風吹出口７と、燃焼用空気取り入れ口に配設した対流用フィルター８とで構成された温風暖房部９と、前記燃焼室２の前面に配設し、複数の発光体１０と、前記複数の発光体１０の前面に一定空間を設けて取り付けた半透光性部材１２とで構成した照明ユニット１３と、運転指示を行う操作基板１８ｂと、運転制御を行う制御基板１８ａとを備えた温風暖房装置であって、前記操作基板１８ｂには、温風暖房部９の制御に応じて通電制御を行う照明ユニット１３の輝度調節を任意に変更できる輝度強弱スイッチ３１を設けた構成としてある。【選択図】  図１
2005083661.tif 000002
【特許請求の範囲】
【請求項１】
バーナーと、前記バーナーからの燃焼ガスと外部より取り込んだ空気を混合する燃焼室と、温風を送出する対流用ファンと、温風吹出口と、燃焼用空気取り入れ口に配設した対流用フィルターとで構成された温風暖房部と、前記燃焼室の前面に配設し、複数の発光体と、前記複数の発光体の前面に一定空間を設けて取り付けた半透光性部材とで構成した照明ユニットと、運転指示を行う操作基板と、運転制御を行う制御基板とを備えた温風暖房装置であって、前記操作基板には、温風暖房部の制御に応じて通電制御を行う照明ユニットの輝度調節を任意に変更できる輝度強弱スイッチを設けたことを特徴とする温風暖房装置。
【請求項２】
温風暖房部の制御がおはよう運転モードを選択しているときには、照明ユニットの制御との連動を解除し、かつ照明ユニットの駆動をＯＦＦにして複数の発光体を消灯する制御手段を設けた請求項１記載の温風暖房装置。
【請求項３】
温風暖房部の制御がおはよう運転モードを選択しているときには、複数の発光体への通電量を減らして、照明ユニットの輝度を落とす制御手段を設けた請求項１記載の温風暖房装置。
【請求項４】
温風暖房部の制御がおやすみ運転モードを選択しているときには、複数の発光体への通電量を減らして、照明ユニットの輝度を落とす制御手段を設けた請求項１記載の温風暖房装置。
【請求項５】
温風暖房部の制御により、バーナーの燃焼量がある一定の状態に保たれたとき、照明ユニットの複数の発光体の発光色を前記燃焼量に応じて変更する制御手段を設けた請求項１記載の温風暖房装置。
【発明の詳細な説明】
【技術分野】
【０００１】
本発明は、温風を吹き出して室内を暖房する温風暖房機に関するものである。
【背景技術】
【０００２】
従来、この種の温風暖房機としては図７に示すように、例えば表示器を突出して設け、機器正面・両側面・上面より運転状態が発光により確認できる構成とした灯油を使用した温風暖房機がある。
【０００３】
図７において、１は温風暖房機本体で、２は前面上部に備えられた操作部、３は温風を吹き出すルーバー４を取り付けた温風吹き出口、５は背面の温風取入口６に取り付けられた対流用ファン、９はバーナーヘッド部１０を突出して設けられバーナー部で、１１はバーナーヘッド１０を囲み燃焼空間を形成する燃焼筒である。
【０００４】
４６は操作部２と温風吹き出口３との間の中央部に設けらたカラー表示部で、赤色及び緑色の２色発光する発光部４７と、この発光部４７の光をカラー表示部４６の周囲に拡散させる拡散レンズ４８とにより構成されている（例えば、特許文献１参照）。
【特許文献１】特開２００１−３３６８２９号公報（第２〜３Ｐ、第２図）
【発明の開示】
【発明が解決しようとする課題】
【０００５】
しかしながら上記従来の構成では、表示器を突出して設け、機器正面・両側面・上面より運転状態が発光により確認できるものであるが、表示器が小さいため、遠くからはその運転状態がはっきりと確認できないという課題を有していた。特にガスを使用した温風暖房機は運転音が静かになり、弱燃焼の場合は騒音が２２ｄＢと低く、燃焼しているかどうか一目で確認できないため、消し忘れし、燃焼しっぱなしの状態で外出するといったことが起こっている。
【０００６】
本発明は上記従来の課題を解決するもので、機器正面に燃焼部を略覆う如く配置した特大の照明ユニットを取り付け、燃焼状態に対応して前記照明ユニットの照明度合いを可変することで、遠くからでも一目で機器の運転状態が確認でき、かつ、燃焼中に照明ユニットにより自然の炎に近い光を演出することで、視覚的にも暖かさを感じる温風暖房機を提供することを目的としている。
【課題を解決するための手段】
【０００７】
上記目的を達成するため本発明の温風暖房機は、バーナーと、前記バーナーからの燃焼ガスと外部より取り込んだ空気を混合する燃焼室と、温風を送出するための対流用ファンと、温風吹出口と、燃焼用空気取り入れ口に配設した対流用フィルターとで構成された温風暖房部と、前記燃焼室の前面に配設し、複数の発光体と、前記複数の発光体の前面に一定空間を設けて取り付けた半透光性部材とで構成した照明ユニットと、運転指示を行う操作基板と、運転制御を行う制御基板とを備えた温風暖房装置であって、前記操作基板には、温風暖房部の制御に応じて通電制御を行う照明ユニットの輝度調節を任意に変更できる輝度強弱スイッチを設けた構成としてある。
【０００８】
上記発明によれば、燃焼室前面に設けた照明ユニットを燃焼状態に応じて点灯させることで、遠くからでもひと目で機器の運転状態が確認でき、運転音が小さいガス温風機等の場合、特にその効果が大きい。
【０００９】
さらに、温風暖房部の燃焼状態の制御と照明ユニットの照明状態の制御を所定の関係で連動制御する場合、例えば温風暖房部の燃焼状態が強燃焼状態の場合は照明ユニットの照明状態を明るく、燃焼状態が弱燃焼状態の場合は輝度を落として暗くする、というように燃焼量と連動した照明状態を作り出すことで、疑似火炎による視覚的な暖房感を得ることができ、かつ遠くからでも、容易に機器の運転状態を確認することができるという効果を奏する。
【００１０】
また、夜間などにおいて、燃焼状態に連動して所定の関係で照明ユニットを点灯させると明るすぎる場合は、輝度強弱スイッチにより任意の明るさに調節することが可能であるため、さらに使い勝手が向上する。
【発明の効果】
【００１１】
本発明にの温風暖房装置によれば、燃焼室前面に設けた照明ユニットを燃焼状態に応じて点灯させることで、遠くからでもひと目で機器の運転状態が確認でき、運転音が小さいガス温風機等の場合、特にその効果が大きい。
【００１２】
さらに、温風暖房部の燃焼状態の制御と照明ユニットの照明状態の制御を所定の関係で連動制御する場合、例えば温風暖房部の燃焼状態が強燃焼状態の場合は照明ユニットの照明状態を明るく、燃焼状態が弱燃焼状態の場合は輝度を落として暗くする、というように燃焼量と連動した照明状態を作り出すことで、疑似火炎による視覚的な暖房感を得ることができ、かつ遠くからでも、容易に機器の運転状態を確認することができるという効果を奏する。
【００１３】
また、夜間などにおいて、燃焼状態に連動して所定の関係で照明ユニットを点灯させると明るすぎる場合は、輝度強弱スイッチにより任意の明るさに調節することが可能であるため、さらに使い勝手が向上する。
【発明を実施するための最良の形態】
【００１４】
第１の発明は、バーナーと、前記バーナーからの燃焼ガスと外部より取り込んだ空気を混合する燃焼室と、温風を送出するための対流用ファンと、温風吹出口と、燃焼用空気取り入れ口に配設した対流用フィルターとで構成された温風暖房部と、前記燃焼室の前面に配設し、複数の発光体と、前記複数の発光体の前面に一定空間を設けて取り付けた半透光性部材とで構成した照明ユニットと、運転指示を行う操作基板と、運転制御を行う制御基板とを備えた温風暖房装置であって、前記操作基板には、温風暖房部の制御に応じて通電制御を行う照明ユニットの輝度調節を任意に変更できる輝度強弱スイッチを設けたことを特徴とするもので、燃焼室前面に設けた照明ユニットを燃焼状態に応じて点灯させることで、遠くからでもひと目で機器の運転状態が確認できるとともに、夜間などにおいて燃焼状態に連動して所定の関係で照明ユニットを点灯させると明るすぎる場合は、輝度強弱スイッチにより任意の明るさに調節することが可能であるため、使用環境に則した照明効果を得ることができ、さらに使い勝手が向上する。
【００１５】
第２の発明は、温風暖房部の制御がおはよう運転モードを選択しているときには、照明ユニットの制御との連動を解除し、かつ照明ユニットの駆動をＯＦＦにして複数の発光体を消灯する制御手段を設けたことを特徴とするものである。
【００１６】
第３の発明は、温風暖房部の制御がおはよう運転モードを選択しているときには、複数の発光体への通電量を減らして、照明ユニットの輝度を落とす制御手段を設けたことを特徴とするものである。
【００１７】
そして、おはよう運転のように使用者が起床時に部屋を暖めておくというような運転形態においては、機器が運転を行っている間は部屋に人がいないという状態が常であり、運転状態を確認するために照明ユニットを点灯する必要もなく、この場合は照明ユニットを消灯あるいは輝度を落として、省エネモードにしてある。
【００１８】
第４の発明は、温風暖房部の制御がおやすみ運転を選択しているときには、複数の発光体への通電量を減らして、照明ユニットの輝度を落とす制御手段を設けたことを特徴とするものであり、おやすみ運転の場合は就寝に支障がない程度に輝度を落とし、かつ運転状態が確認できるようにして、就寝途中で起きあがった場合等でも機器の状態が容易に判るようにし、安全性の確保と使い勝手のよさを図ったものである。
【００１９】
第５の発明は、温風暖房部のバーナーの燃焼量がある一定の状態に保たれた状態のとき、照明ユニットの複数の発光体の発光色を燃焼量に対応して変更する制御手段を設けたことを特徴とするものであり、燃焼状態が機器前面に設けた大きな照明ユニットの点灯色により一目で確認することができ、かつ燃焼量に応じて発光色を変更することで視覚的にも暖房感の変化をより感じることができ、快適性の向上を図ることができる。
【００２０】
（実施の形態１）
図１は、本発明の実施の形態１における温風暖房装置の正面断面図、図２は同温風暖房装置の側面断面図である。
【００２１】
図１において、バーナー１にて供給されたガスの燃焼を行い、燃焼により発生した排気ガスと空気を混合する燃焼室２がある。バーナー１の下方には温風３を送出するための対流用ファン４を設け、該対流用ファン４の下流側には温風を導くルーバー５を取り付けた温風吹出口７がある。ケース６の後面には対流用空気を取り入れるための網目状の対流用フィルター８があり、上記構成で温風暖房部９を形成している。
【００２２】
１０は通電により発光し燃焼に連動して発光させて擬似的に燃焼状態を表現する発光体で、この発光体１０を囲み、燃焼室２とある一定の空間を保って設けた分離壁１１の内側の燃焼室２の前面に複数個配設し、燃焼熱の影響を回避するとともに、機器正面側に燃焼室２を略覆う如く配設し、燃焼状態を確認しやすい構成としてある。また、発光体１０の前方の機器正面には、一定の空間を設けて半透光性部材１２を設け、ぼかし効果をつけてより火炎の形態に近い照明効果を確保するようにしてある。上記構成で照明ユニット１３を形成している。
【００２３】
以上のように構成された温風暖房装置について、以下その動作・作用について説明する。
【００２４】
操作基板１８ｂに設けた運転スイッチ２４をＯＮすると、 温風暖房部９は電磁弁１９、比例制御弁２０によって制御された燃料ガスが供給パイプ２１を介し、ノズル２２より、バーナー１に供給燃焼され、バーナー１近傍に設けられた点火プラグ２３の放電により着火し、燃焼に移行する。燃焼が開始すると、燃焼で発生した高温の排気ガスと、対流用フィルター８を通過した対流用空気が燃焼室２の燃焼風路内で混合される。混合された温風は対流用ファン４によって前面下部の温風吹出口７から送出され、暖房を行なう。また、照明ユニット１３は、温風暖房部９の燃焼に連動して複数の発光体１０が発光するように通電制御される。
【００２５】
以上のように通常運転においては、照明ユニット１３が機器前面の広い面で燃焼動作と連動して発光するようにしているため、遠くから一目で燃焼していることが確認でき、点火の確認も容易になり、消し忘れによるつけっ放しで外出する等を防止でき、安全性を高めることができる。
【００２６】
また、照明ユニット１３の発光体１０の配置構成や通電制御により、視覚的に自然の炎のように見せられるため、疑似火炎により使用者に視覚で暖かさを感じさせることが可能であり、省エネ効果も得ることができる。
【００２７】
また、照明ユニット１３である半透光性部材１２と発光体１０を吹き出し口７の上部より機器上部まで設けていることにより、照明ユニット１３を機器前面の広い面に設け、燃焼と連動して発光体１０を発光させると、遠くからでも発光が確認でき、燃焼していることが判り、上記効果をより高めることができる。
【００２８】
ここで、半透光性部材１２はガラス板あるいは樹脂板で構成することで、半透光性部材１２を薄く形成でき、機器の大きさを抑制することができる。また、発光体１０を複数のＬＥＤで構成することで、安価で寿命の長く消費電力の少ないＬＥＤを複数個機器前面の広い面に配置し、点灯する箇所と数をかえたり、その通電量を変動制御することにより、容易に複数の発光体１０の光をランダムに変化させることにより、半透光性部材１２を通過する光をよりランダムなゆらぎのある全面拡散させることで、あたかも自然の炎がゆらいでいるような光に見えるため、使用者に視覚的に暖かさを感じさせることを可能とし、しかも点火や燃焼状態を遠くから容易に確認できる。
【００２９】
また、本実施の形態は、発光体１０と燃焼室２を仕切り、かつ発光体１０を囲む分離壁１１を設け、分離壁１１の表面に反射体を設けるか、または反射しやすい加工を施したものである。分離壁１１は、燃焼室２とはある空間を設けて取り付けられているため、燃焼に必要な対流用空気はこの間を通過して、良好な燃焼をすることができる従って、燃焼により発生する熱は、この分離壁１１により遮断され、発光体１０の温度上昇を防止する。
【００３０】
また反射体を取り付けるか反射加工をすることで、発光体１０が発光した光が反射して輝度が増し、より明るく見せることができる。
【００３１】
次に、図３の制御ブロック図により、制御動作に関して詳細に説明する。
【００３２】
図３において、制御基板１８ａには、温風暖房部９を制御する温風暖房制御部２５、照明ユニット１３を制御する照明ユニット制御部２６、前記温風暖房制御部２５と前記照明ユニット制御部２６の連動制御動作を記憶し、それぞれの制御部に関連信号を送るメモリー制御部２７が設けられている。
【００３３】
ここで、操作基板１８ｂの運転スイッチ２４がＯＮすると、温風暖房制御部２５の制御動作が開始し、電磁弁１９、比例制御弁２０、対流用ファン４を駆動する駆動用モーター２８を駆動させ、バーナー１へ燃料ガスを供給、点火電極２３部の放電で燃焼を開始する。同時に燃焼が開始したことを記憶したメモリー制御部２７は、照明ユニット制御部２６へ信号を送り、発光体１０を点灯させる。当該機器の温風暖房部９と照明ユニット部１３が駆動し運転を始めると、室温をケース６内に設けた室温センサー２９で検知し、操作基板１８ｂ上にある室温設定スイッチ３０で設定した設定温度になるよう、温風暖房制御部２５を介し燃焼量を可変する。さらに、メモリー制御部２７は、温風暖房制御部２５の制御状態を記憶判断し、あらかじめ定められた前記燃焼状態に対応した照明状態を作り出すように照明ユニット制御部２６に信号を送ることで、当該機器の燃焼状態と連動した照明を作り出すことができる。
【００３４】
従って、操作基板１８ｂに運転スイッチ２４とは独立して設けた輝度強弱スイッチ３１によって、制御基板１８ａのメモリー制御部２７からの信号のうち、照明ユニット制御部２６への信号を変えることにより、複数の発光体の輝度の強弱を選択できることで、使い勝手をより便利にしたものである。
【００３５】
（実施の形態２）
次に、本発明の第２の実施の形態の温風暖房装置について、図４の制御ブロック図を用いて説明する。第２の実施の形態は、おはよう運転モードにおける照明ユニット１３の点灯制御に関するもので、図４に示す如く、操作基板１８ｂに設けられたおはよう運転スイッチ３２によって、当該機器がおはよう運転を選択されると、その信号をうけ、制御基板１８ａのメモリー制御部２７からの信号のうち、照明ユニット制御部２６への信号のみ自動的に遮断し、おはよう運転中は、自動的に照明機能を停止するものである。
【００３６】
また、別の手段として、おはよう運転が選択されたとき、制御基板１８ａのメモリー制御部２７からの信号のうち、照明ユニット制御部２６への信号を変え、おはよう運転中は、複数の発光体１０への通電量を減らして、照明ユニット１３の輝度を落とすようにすることも可能である。
【００３７】
そして、おはよう運転のように部屋に人がいないときに運転を行う場合は、自動的に照明ユニット１３を消灯あるいは輝度を落とすことで、不用な電力の消費を抑えることができる。
【００３８】
（実施の形態３）
また、本発明の第３の実施の形態の温風暖房装置について、図５の制御ブロック図を用いて説明する。実施例３は、おやすみ運転モードにおける照明ユニット１３の点灯制御に関するもので、図５に示す如く、操作基板１８ｂに設けられたおやすみ運転スイッチ３３によって、当該機器がおやすみ運転を選択されると、その信号をうけ、制御基板１８ａのメモリー制御部２７からの信号のうち、照明ユニット制御部２６への信号を変え、おやすみ運転中は、複数の発光体への通電量を減らして、照明ユニット部の輝度を落とすようにしたものである。
【００３９】
そして、おやすみ運転の場合は就寝に支障がない程度に輝度を落とし、かつ運転状態が確認できるようにすることで、就寝途中で起きあがった場合等でも機器の状態が容易に判り、安全性の確保と使い勝手のよさを図ることができる。
【００４０】
（実施の形態４）
また、本発明の第４の実施の形態の温風暖房装置について説明すると、例えば、制御基板１８ａに組み込まれた温風暖房制御部２５の制御パターンが図６に示す如く運転された場合、照明ユニット制御部２６の点灯制御パターンは、燃焼量に応じて照明ユニット１３の照明の色を変更するように制御する。すなわち、温風暖房部９の燃焼量が、例えば、強・中上で運転中は、照明ユニット１３の複数の発光体１０の発光色は赤色とする。中下・弱で運転中は、照明ユニット１３の複数の発光体１０の発光色は黄色とする。強・中上・中下・弱の４段階に対応した通電状態に連動制御することで、照明ユニット１３の複数の発光体１０の発光色により、遠くからでも容易に燃焼状態を容易に確認することができる。
【００４１】
なお、上記実施の形態では燃焼段数を４段階、発光色を２色に限定して説明したが、本願発明を達成する手段であれば、これに限定されるものではない。
【産業上の利用可能性】
【００４２】
以上のように、本発明に係る温風暖房装置は、燃焼室前面に設けた照明ユニットを燃焼状態に応じて点灯させることで、遠くからでもひと目で機器の運転状態が確認できるため、燃焼状態が確認しづらい構成の燃焼器、例えば全面を輻射面とした燃焼器など、さらに運転音が小さいガス温風機等にも有用である。
【図面の簡単な説明】
【００４３】
【図１】本発明の実施の形態１における温風暖房装置の正面断面図
【図２】同温風暖房装置の側面断面図
【図３】同温風暖房装置の制御ブロック図
【図４】本発明の実施の形態２における温風暖房装置の制御ブロック図
【図５】本発明の実施の形態３における温風暖房装置の制御ブロック図
【図６】本発明の実施の形態４における照明ユニットの点灯制御パターン図
【図７】従来例における温風暖房装置の断面図
【符号の説明】
【００４４】
１  バーナー
２  燃焼室
４  対流用ファン
７  温風吹出口
８  対流用フィルター
９  温風暖房部
１０  発光体
１２  半透光性部材
１３  照明ユニット
３１  輝度強弱スイツチ
【図１】
2005083661.tif 000003
【図２】
2005083661.tif 000004
【図３】
2005083661.tif 000005
【図４】
2005083661.tif 000006
【図５】
2005083661.tif 000007
【図６】
2005083661.tif 000008
【図７】
2005083661.tif 000009